(57)【特許請求の範囲】
【請求項１】
身体の腰部から股部にかけての全体を覆うように形成され、かつ、縦割により、前後に２分割されて、全体の大部分を形成する後部分と後部分の前面を閉じる前部分とから成るパンツ形状の剛製の覆体と、該後部分の内部に取付けられて身体の臀部位置を後部分の内面から離れるように保持する網目シートから成る保持シートとから構成され、前記覆体の後部分は、臀部に対応する位置に、外方に大きく膨らんだ中空状の膨出部を設けていると共に、身体の腰部を包囲する湾曲形状の上縁部と、左右の下股付根を包囲する湾曲形状の下縁部とに、肌に密着する保護帯をそれぞれ有し、また前記後部分の中央に、膨出部の膨らみに沿って縦方向に延びて隆起する肉厚部を形成し、前記膨出部には、その中空部と連通して下向きに延びる排出口部を設け、前記肉厚部の位置には、その長手方向に沿って延びて後部分の上縁部に達し、かつ水を横向きに噴出する噴出孔を有した通水路を、また後部分の上縁部には、その上縁部に沿って延び、かつ、水を下向きに噴出する噴出孔を有した通水路を、さらにまた、股間に位置する内面位置には、局部と肛門とに洗浄水をそれぞれ指向する噴出孔を有した洗浄パイプをそれぞれ設け、前記排出口部に、排出手段を、前記通水路に注水管を、前記洗浄パイプに温水供給手段をそれぞれ接続したことを特徴とする介護用屎尿処理具。
【請求項２】
覆体の後部分と前部分の側面に、これらを締結着する締結具を備えて成る請求項１記載の介護用屎尿処理具。
【請求項３】
覆体の上縁部外周に下縁部が取付けられ、かつ身体の胴部を包囲するに充分な長さをもつ柔軟な包囲部材を備えて成り、この包囲部材の両端部に、該両端部を重合したとき、その重合部を結着する止具を設けて成る請求項１または２記載の介護用屎尿処理具。
【請求項４】
覆体の上縁部外周に、包囲部材の下縁部を着脱可能に取付けて成る請求項３記載の介護用屎尿処理具。
【請求項５】
包囲部材が、表布と裏布とから成り、それらの間に、体形に適合して密着するように保形材を介在して成る請求項３または４記載の介護用屎尿処理具。
【請求項６】
覆体の後部分が、その上縁部と、左右側縁と、股部に位置する先端部とに、それぞれ水返しを一体に設けて成る請求項２、３、４または５記載の介護用屎尿処理具。
【請求項７】
覆体の膨出部内面の下縁に沿って水切り部を一体に設けて成る請求項６記載の介護用屎尿処理具。
【請求項８】
保持シートは、網目シートの周辺部に縁取片を設けて成り、この縁取片を、覆体の後部分の上縁部と左右側縁部と、股間先端部とにそれぞれ着脱可能に取付けて成る請求項２、３、４、５、６または７記載の介護用屎尿処理具。
【請求項９】
覆体の後部分の上縁部に、身体の腰部に締着可能なバンドを取付けて成る請求項２乃至８のいづれか１項記載の介護用屎尿処理具。
【請求項１０】
排出口部を、膨出部の左右位置に設けて成る請求項１乃至９のいづれか１項記載の介護用屎尿処理具。
【請求項１１】
排出手段が、その一部に、長さ方向に伸縮可能な伸縮管を備えて成る請求項１乃至１０のいづれか１項記載の介護用屎尿処理具。
【発明の詳細な説明】
【０００１】
【発明の属する技術分野】
本願発明は、特に寝たきりの老齢者や病人を対象とした介護用の屎尿処理具に関する。
【０００２】
【従来の技術】
従来、寝たきりの老齢者や病人が、寝た状態で排泄する屎尿の処理には、専ら手持用便器やおむつが使用されている。
【０００３】
【発明が解決しようとする課題】
ところが、屎尿の処理に際し、手持用便器やおむつを使用するときは、老齢者や病人に対し肉体的な苦痛のみならず、精神的苦痛を与えるという欠陥があった。
【０００４】
即ち、屎尿の処理に際し、他人により屎尿を採取されることになるので、老齢者や病人が、精神的苦痛を感じるばかりでなく、手持用便器やおむつの使用に際しては、老齢者や病人の身体を動かさなければならないので、肉体的苦痛を与えるという欠陥があった。
【０００５】
【課題を解決するための手段】
そこで本願発明は、上記した従来の欠陥を改善するために、老齢者や病人が排泄する屎尿を露出させることなしに処理することができるようにしたものである。
【０００６】
即ち、身体の腰部から股部にかけての全体を覆うように形成され、かつ、縦割により、前後に２分割されて、全体の大部分を形成する後部分と後部分の前面を閉じる前部分とから成るパンツ形状の剛製の覆体と、該後部分の内部に取付けられて身体の臀部位置を後部分の内面から離れるように保持する網目シートから成る保持シートとから構成され、前記覆体の後部分は、臀部に対応する位置に、外方に大きく膨らんだ中空状の膨出部を設けていると共に、身体の腰部を包囲する湾曲形状の上縁部と、左右の下股付根を包囲する湾曲形状の下縁部とに、肌に密着する保護帯をそれぞれ有し、また前記後部分の中央に、膨出部の膨らみに沿って縦方向に延びる隆起状の肉厚部を形成し、前記膨出部には、その中空部と連通して下方に延びる排出口部を設け、また、前記肉厚部の位置には、その長手方向に沿って延びて後部分の上縁部に達し、かつ水を横向きに噴出する噴出孔を有した通水路を、また後部分の上縁部には、その上縁部に沿って延び、かつ、水を下向きに噴出する噴出孔を有した通水路をまた、股間に位置する内面位置には、局部と肛門とに洗浄水をそれぞれ指向する噴出孔を有した洗浄パイプをそれぞれ設け、さらに前記排出口部に、排出手段を、前記通水路に注水管を、前記洗浄パイプに温水供給手段をそれぞれ接続したことを特徴とするものである。
【０００７】
上記において、好ましくは、覆体の後部分と前部分の側面に、これらを締結着する締結具を備えて成り、また、覆体の上縁部外周に下縁部が取付けられ、かつ身体の胴部を包囲するに充分な長さをもつ柔軟な包囲部材を備えて成り、この包囲部材の両端部に、該両端部を重合したとき、その重合部を結着する止具を設けて成り、この包囲部材の両端部に、該両端部を重合したとき、その重合部を結着する止具を設けて成るものである。
【０００８】
また包囲部材を交換できるように、覆体の後部分の上縁外周に、包囲部材の下縁部を着脱可能に取付けて成り、また包囲部材の感触状態が良好となるように、包囲部材が、表布と裏布とから成り、それらの間に、体形に適合して密着するように保形材を介在して成るものである。
【０００９】
また、水が外部に漏出しないように、覆体の後部分が、その上縁部と、左右側縁と、股部に位置する先端部とに、それぞれ水返しを一体に設けて成り、また覆体の膨出部内面の下縁に沿って水切り部を一体に設けて成るものである。
【００１０】
また、保持シートは、網目シートの周辺部に縁取片を設け成り、この縁取片を、覆体の後部分の上縁部と左右側縁部と、股間先端部とにそれぞれ着脱可能に取付けて成り、また覆体を身体に安定して装着できるように、覆体の後部分の上縁部に、身体の腰部に締着可能なバンドを取付けて成るものである。
【００１２】
さらに、身体を横向きにした場合でも有効に排出できるように、排出口部を、膨出部の左右位置に設け、また身体に負担が加わらないように、排出手段が、その一部に、長さ方向に伸縮可能な伸縮管を備えて成る。
【００１３】
【発明の実施の形態】
以下図面について詳述すると、本願は、身体の腰部から股にかけての全体を覆うように形成された例えばＦＲＰの如き硬質合成樹脂の成型体から成るパンツ形状を有した覆体１と、この覆体１の上縁部外周に取付けられ、かつ身体の前面で重ね合わされて身体の胴部を包囲する柔軟な材料から成る包囲部材２と、前記覆体１の内周面に取付けられて、身体の臀部を保持する保持シート３とから構成されている。
【００１４】
前記覆体１は、縦割りにより、２分割されて覆体１の大部分を形成する後部分１ａと後部分１ａの前面を閉止する前部分１ｂとから成り、図２，３から明らかなように後部分１ａは、臀部の位置において後方に大きく膨らんだ膨出部５を有すると共に、その中央位置に、膨出部５の膨らみに沿って縦方向に延びて隆起する肉厚部６が形成されている。
【００１５】
後部分の上縁部７は、腰部の位置を半周囲よりも大きな範囲で包囲するように深く湾曲しており、この上縁部７と、前記前部分１ｂに接合する垂直な左右側縁８，８と、左右の下肢の付根位置をそれぞれ半周囲より大きな範囲で包囲するように深く湾曲した左右下肢部９，９の下縁部と、左右下肢部９，９の間の先端から前記下肢部９，９にかけて下方に延びる股間先端部１０とに、それぞれ断面Ｕ字状に形成された水返しが一体に設けてある。
【００１６】
また、前記後部分１ａの膨出部５は、中空状に形成されており、この膨出部５の左右位置には、中空部に連通して下向きに延びる排出口部１２，１２が設けてある。
【００１７】
さらにまた、後部分１ａの膨出部５の内面の下縁に沿って水切り部１１が一体に設けてある。
【００１８】
前記肉厚部６の位置と、後部分１ａの上縁部７に設けた水返しの位置とに、肉厚部６の長手方向に延びて後部分１ａの上縁部に達する通水路１３ａと、上縁部７に沿って延びて前記通水路１３ａと連通する通水路１３ｂとがそれぞれ設けてあり、また前記通水路１３ａの端部には、注水口部１３′が設けてあると共に、通水路１３ａの適宜位置に、水を横向きに噴出する噴出孔１４が、また通水路１３ｂの適宜位置に、水を下向きに噴出する噴出孔１４がそれぞれ設けてある。
【００１９】
さらにまた、股間に位置する内面位置には、前後方向に長く延び、その一端が股間先端部１０を上方に貫通した湾曲状の洗浄パイプ１５が配置してあり、その両端位置には、局部と肛門とに洗浄温水をそれぞれ指向する噴出孔１６と１７とが設けてある。
【００２０】
そして、このように構成された後部分１ａの水返しを有した上縁部７の内周面と、下肢部９，９の水返しを有した下縁部の内周面とに、それぞれ肌に柔かく密接する例えばシリコン樹脂などから成る保護帯１８，１９が、例えば面ファスナーを使用して着脱可能に取付けてあり、また上縁部７の両端位置には、身体の腰部に覆体１を確実に固定するためのバンド１８′が取付けてある。
【００２１】
前記覆体１の前部分１ｂは、図６で示すように、前記後部分１ａの水返しを有した上縁部７と対向して腰部の前面位置を覆うように浅く湾曲した上縁部２０と、前記後部分１ａの左右側縁８，８と接合するように断面Ｌ字状に折曲した垂直な接合部２１，２１と、前記後部分１ａの下肢９，９とそれぞれ対向して下肢の付根位置を覆うように浅く湾曲した下部２２，２２と、前記後部分１ａの股間先端部１０と接合する垂直な当部２３とを有した形状から成り、前記前部分１ａのほぼ中央位置には、排気と暖気送風兼用の開口部２４が設けてある。
【００２２】
しかして、覆体１は、後部分１ａの左右側縁８，８と、股間先端部１０の前面とに、前部分１ｂの接合部２１，２１と当部２３とをそれぞれ接合し、かつこれらの左右の各接合部分位置を、広く使用されているバンドなど周知の締結具２７により締結することにより、図１で示すように締結される。
【００２３】
前記包囲部材２は、例えばナイロン製の表布３０と木綿製の裏布３１とから成り、この表布３０と裏布３１との間には、体形に適合して密接するように発泡ウレタン樹脂などから成る柔軟な保形材３２が介在してある。
【００２４】
この包囲部材２は、身体の胴部を包囲するに充分な長さを有しており、その一側端には、例えば面ファスナーの雄型乃至雌型のいづれか一方を設けた閉じ代３３が、また他側端には、面ファスナーの雄型乃至雌型いづれか他方を設けた閉じ代３４がそれぞれ設けてあり、従って包囲部材２により胴部を包囲したとき、身体の前面位置で閉じ代３３と３４とが重ね合わされて胴部に結着される。
【００２５】
この包囲部材２の下縁内面３４を、覆体１の後部分１ａの上縁部外周面に固着してもよいが、好ましくは、例えば面ファスナーを用いて着脱自在に取付けられると共に、必要に応じて前部分１ｂの上部外周面にも、包囲部材２の下縁部が面ファスナーを用いて着脱自在に取付けられる。
【００２６】
前記保持シート３は、図７で示すように、全体として横長方形状の網目シート４０から成り、その周辺は布地などの縁取片４１により縁取りされていると共に、中心部に縦長の開口部４２を有し、このように構成された保持シート３は、横方向で湾曲するように型押し成形されると共に、その中心部下部には、前記後部分１ａの股間部の介入を許容するように、前面視逆Ｕ字状に屈曲されて前後方向に延びる介入部４３を有し、このように型押し成形された保持シート３は、前記後部分１ａの上縁部７の内面と、左右側縁部８，８の内面と、左右下肢部９，９の下縁部内面及び股間先端部１０の内面に、それぞれ例えば面ファスナーを用いて着脱可能に止着される。
【００２７】
本例においては、後部分１ａの上縁部７の水返しの内面と、左右側縁部８，８の水返しの内面と、左右下肢部９，９の下縁部の水返しの内面及び股間先端部１０の水返しの内面に、図５で示すように、支持片４４の一半部をそれらの内面に連続してまたは部分的に固着し、この支持片４４の他半部を利用して、保持シート３の縁取片４１の上辺、左右側辺及び介入部４３の端辺を、それぞれ面ファスナーにより着脱自在に止着した場合を例示したが、面ファスナーに代えて、ホックやスナップ釦或いはスライドファスナーなど公知の取付具を用いて、保持シート３の周辺部を後部分１ａの内面に着脱自在に装着してもよいことは勿論である。
【００２８】
このように、保持シート３の周辺部を、後部分１ａの内面に止着して保持シート３を緊張状態に装着され、これによって、使用者が仰向けに寝た状態で、使用者の臀部は、膨出部５の内面から離れた状態で保持部材３により保持される。
【００２９】
しかして、使用に際しては、先づ使用者の臀部の下部に、包囲部材２及び保持シート３を備えた状態の後部分１ａを介在して、網目シート４０上に使用者の臀部を載置する。
すると、使用者の臀部は、網目シート４０の面上で受けられると共に、臀部の重みにより網目シート４０は図２，３の仮想線で示すように、適度に撓んで、後部分１ａの内面から離れて保持シート３により吊るされた状態に保持される。
【００３０】
次いで、バンド１８′を使用者の腰部に締着して後部材１ａを使用者の腰部に装着する。この状態で、後部分１ａの前面に、前部分１ｂを接合し、かつ締結具２７により後部分１ａと前部分１ｂの接合部分を締結し、これによって、使用者の腰部から股にかけての全体が、覆体１により覆われると共に、腰部の周囲は、保護帯１８により、また下肢の付根の周囲は保護帯１９により、それぞれ支承される。
【００３１】
さらに包囲部材２により、使用者の胴部を包囲し、このようにして、使用者の身体に、覆体１と包囲部材２とが安定した状態で装着される。
【００３２】
他方、後部分１ａに設けた排出口部１１には、直角状の連結管５０を回転可能に連結し、これに伸縮自在のスライド管または蛇腹管から成る伸縮管５１が、またこの伸縮管５１には、排出管５２がそれぞれ接続される。
【００３３】
また、後部分１ａに設けた注水口部１３′には、可撓性の注水管５３が、洗浄パイプ１５の接続部１５′には、可撓性の洗浄管５４がそれぞれ着脱可能に接続される。
【００３４】
さらにまた、前部分１ｂの開口部２６には、覆体１内に温風を送気するための内管５５と、覆体１内の空気を吸引するための外管５６との２重管から成る空調パイプ５７が接続される。
【００３５】
図８は、使用者が、本願処理具を身体に装着した状態で、ベッド６０に仰向けに寝ている状態で示しており、前記ベッド６０は、図９で示すように横長方形状に構成された台枠６１の面上に、合成樹脂製の糸によりネット状に組成され、かつ本願処理具が位置する対応個所６２を、橈わみが大きくなるように、網目を大きく形成したシート６３が張設してあり、その上面の、前記対応個所６２を除く、前後位置には、マット６４が敷設されると共に、台枠６１の後部位置には、前記排出管５２に接続される排出路６５と、前記注水管５３に接続される給水源６６と、前記洗浄管５４に接続される洗浄温水源６７と、前記内管５５に接続される温風源６８及び前記外管５６に接続された吸気源６９とをそれぞれ装備した調整機構部７０が装備してある。
【００３６】
しかして、図９で示すように使用者が仰向けに寝た状態で屎尿を排泄したときは、その屎尿は、覆体１の後部分１ａの膨出部５内に流下し、特に大便は開口部４２から膨出部５内に落下する。
しかして、例えば覆体１内に備えた温度乃至湿度を感知して作動するセンサーにより自動的に、或いは押釦操作などにより人為的に調整機構部７０を一定時間作動する。
【００３７】
すると、給水源６６から注水管５３に送られた水は、通水路１３ａ及び１３ｂに導かれて噴出孔１４より水が横向き及び下向きに噴出し、これによって後部材１ａの内面は水洗され、かつこの水は、膨出部５内に流下する。
【００３８】
また、洗浄温水源６７から洗浄管５４に送られた温水は、洗浄パイプ１５に導かれて、噴出孔１６及び１７より噴出し、これによって局部と肛門が洗浄される。
【００３９】
そして、局部と肛門を洗浄した水も亦、前記膨出部５内に流下し、従って屎尿は、水と共に排出口部１２から連結管５０及び伸縮管５１を介して傾斜状に配置された排出管５２を流下しながら排出路６５に排出される。
【００４０】
他方、温風源６８の作動により、温風が覆体１内に送風され、これによって濡れた身体部分及び覆体１の内面が乾燥され、また吸気源６９の作動により覆体１内に充満する湿気及び臭気は、外管５６を介して吸引されて外部に排気される。
【００４１】
なお上記においては、好ましくは、覆体１の水洗、排気、局部及び肛門の洗浄、温風乾燥の順に行なわれる。
【００４２】
また上記において、Ｌ字状の連結管５０は、シート６３に貫通孔を設けることなく、網目の大きい対応個所６２の任意の網目からシート６３を貫通してシート６３の下方に導出することができる。
【００４３】
また本願において、膨出部５の左右位置に排出口部１２，１２を設けたことにより、使用者が身体を横向きにした状態で排便した場合でも、そのいづれか一方の排出口部１１が低い位置におかれるので、屎尿の排出を支障なく行なうことができる。
【００４４】
また、排出口部１２に伸縮管５１を設けたのは、使用者が身体を横向きにした場合、そのいづれか一方が高い位置に、またそのいづれか他方に上下変動し、その高低差の変化に伴う抵抗により身体に及ぼす負担を軽減するためである。
【００４５】
なお図示しないが、本例におけるベッド６０は、次のように構成されている。即ち、シート６３の面上に左右方向に延びる横シートが敷設されており、この横シートの両端部は台枠６１の両側位置で立ち上がった状態でそれぞれ支持されると共に、ドラムを介して差込まれており、常態では横シートは水平状態におかれており、この状態から左右いづれか一方のドラムを回動して横シートを緊張すると、該横シートは、傾斜状態となり、これによって仰向けに寝ている使用者を横向きに介助できるように構成され、さらにまた台枠６１の前部位置に、シート６３の前端部が立ち上がった状態で巻き込むドラムを備え、該シート６３は常態で水平状態におかれ、この水平状態からドラムを回動してシート６３を緊張して上向きに傾斜させることにより、使用者の上半身を起き上がり状態に介助できるように構成されている。
【００４６】
【発明の効果】
以上詳記したように、本願発明によれば、覆体により身体の腰部から股部にかけての全体を覆うので、使用者の排便状態や排出物が外部に露呈することはなく、従って、使用者の羞恥心や精神的苦痛を軽減することができると共に、排泄物の排出、身体要部の洗浄，乾燥及び覆体内の臭気などの排気の一連の処理を一体に行なうことができて極めて便利である。
【００４７】
また排便の都度、使用者の身体を動かして、便器やおむつなどの交換を行なう必要はなく、また身体の臀部は、柔軟な保持シートにより保持されて、剛製から成る覆体に接することがないので、使用者に肉体的苦痛を与える惧れがないなどの利点を有する。
【００４８】
また請求項２記載の発明によれば、覆体を使用者に装着する場合及び身体の状態を検診する場合、さらには保持シートを交換する場合などに便利である。
【００４９】
また請求項３及び５記載の発明によれば、覆体に連続する包囲部材は、使用者の胴部を柔軟に包囲し、しかも身体の体形に整合するので、本願処理具の安定した装着状態が得られる。
【００５０】
また、請求項４記載の発明によれば、包囲部材の交換に便利である。
【００５１】
また請求項６及び７記載の発明によれば、水返し及び水切り部の形成により、尿及び洗浄水などの液体が覆体から漏出するのを防止することができて衛生的である。
【００５２】
また、請求項８記載の発明によれば、保持シートの交換に便利である。
【００５３】
また請求項９記載の構成によれば、覆体を身体に安定確実に装着することができる。
【００５５】
また、請求項１０記載の発明によれば、使用者が横向きになった場合でも、屎尿の排出を支障なく行うことができる。
【００５６】
さらにまた、請求項１１記載の発明によれば、使用者が横向きになった場合において、使用者に与える排出手段の変動に伴う抵抗負担を軽減することができるなどの利点を有する。
【図面の簡単な説明】
【図１】総体側面図
【図２】中央縦断側面図
【図３】他の縦断側面図
【図４】包囲部材と保護帯とを備えた状態の一部切欠した後部材の前面図
【図５】後部分の水返し部に保護シートを取付けた状態を示す部分断面図
【図６】前部分の一部切欠した内面図
【図７】保持シートの斜視図
【図８】ベッドに仰向きに寝た使用状態を示す側面図
【図９】ベッドの平面図
【符号の説明】
１  覆体
２  包囲部材
３  保持シート
１ａ  後部分
１ｂ  前部分
５  膨出部
６  肉厚部
７，２０  上縁部
８  左、右側縁部
９  下肢部
１０  股間先端部
１１  水切り部
１２  排出口部
１３ａ，１３ｂ  通水路
１４，１６，１７  噴出孔
１８，１９，  保護帯
１８′バンド
２１  接合部
２２  下肢部
２７  締結具
３０  表布
３１  裏布
３２  保形材
４０  網目シート
４１  縁取片
４３  介入部
４４  支持片
５１  伸縮管
５２  排出管
５３  注水管
５４  洗浄水管
５５  内管
５６  外管
５７  空調パイプ
【図１】
0003995841.tif 000002
【図２】
0003995841.tif 000003
【図３】
0003995841.tif 000004
【図４】
0003995841.tif 000005
【図５】
0003995841.tif 000006
【図６】
0003995841.tif 000007
【図７】
0003995841.tif 000008
【図８】
0003995841.tif 000009
【図９】
0003995841.tif 000010